(57)【要約】      （修正有）【課題】バランスの取れた耐震木造建築物を作るために、複数の耐震性能の違うパネルを提供する。【解決手段】木造建築物の構造躯体の片面及び構造躯体間に釘で打ち付けて取り付けられるものであり、構造躯体に対して斜め方向に複数の板材５が接合された板材接合体からなるものである。取り付け位置は構造躯体のバランスで選定され、それぞれの形状のパネルを適材適所に配置する。接着剤を使用しない木製の耐力面材であるので、大きな地震時には木材の特性の柔軟性と接着剤を使わないことで変形することができ、壊滅的なダメージを受けにくい建物にすることができる。【選択図】図６
0003208273.tif 000002
【実用新案登録請求の範囲】
【請求項１】
木造住宅構造躯体の壁面に取り付けられるパネルであって、前記パネルは、前記構造躯体に対して傾斜させた角度に複数の板材の側面を接合させて並置して形成した第１のパネルと、前記第１のパネルとクロスする方向に複数の板材の側面を接合させて並置して形成した第２のパネルとが積層され、前記第１のパネルと前記第２のパネルの複数の板材は、各々釘、ビス、ステップル等によって接着することなく接合されているパネル。
【請求項２】
第２のパネルの複数の板材は、第１のパネル複数の板材の傾斜角度に対して反転させた傾斜角度に並置して側面を接合させた請求項１に記載のパネル。
【請求項３】
第２のパネルの複数の板材は、構造躯体に対して直角方向に並置して側面を接合させた請求項１に記載のパネル。
【請求項４】
前記第１のパネルと前記第２のパネルは、構造躯体に取り付けられる枠体に釘、ビス、ステップル等で固定される請求項１に記載のパネル。
【請求項５】
前記第１のパネルは、構造躯体に取り付けられる枠体の一方面に釘、ビス、ステップル等で固定され、前記第２のパネルは、前記枠体の他方面に釘、ビス、ステップル等で固定された請求項３に記載のパネル。
【考案の詳細な説明】
【技術分野】
【０００１】  本考案は、木造建築物の構造躯体の片面に取り付けられて、壁材、床材、屋根材として使用されるパネルに関する。
【背景技術】
【０００２】  木造建築物の壁材、床材、屋根材として使用されるパネルに関する技術について、本考案者による発明が、特許文献１、特許文献２、他の考案者による発明が特許文献３に記載されている。
【先行技術文献】
【特許文献】
【０００３】
【特許文献１】  特開２０１４−２１８８３１号公報
【特許文献２】  実願２０１５−００１６２２号公報
【特許文献３】  特開２００６−１１８２７５号公報
【考案の概要】
【考案が解決しようとする課題】
【０００４】  特許文献１は構造躯体にはめ込む枠組みの片面に斜めに複数の板を張り裏面に直角に補強材を取り付けることを特徴とする。特許文献２は斜めに複数の板を補助材で成型し構造躯体に打ち付けることを特徴とする。特許文献３は斜めに複数の板を隙間を開けてクロス状に接着剤で張り合わせることに特徴がある。【０００５】  特許文献１、特許文献２は建物全体の壁、床、屋根をモノコックで耐震化する工法であるがパネル１枚当たりの耐震壁としての耐震強度が斜め板方向が一方向のため低い、そのため複数の耐震面材との組み合わせが必要である。本考案は構造躯体に対して傾斜させた角度に複数の板材の側面を接合させて並置して形成した第１のパネルと、前記第１のパネルとクロスする方向に複数の板材の側面を接合させて並置して形成した第２のパネルとを積層するパネルとする。そのことでパネル１枚当たりの耐震強度が大幅に増す。特許文献３は斜めに複数の板を隙間を開けてクロス状に接着剤で積層することを特徴とするのに対して本考案は構造躯体に対し斜め方向に複数の板を隙間なく並置して成型した第一のパネルとクロス状に複数の板を隙間なく並置した第二のパネルを積層することで耐震性に優れている。尚特許文献３は接合を接着剤を使用しているのに対し本考案は釘、ビス、ステップル等で接合し接着剤及び化学物質で接着しないことを特徴とする。
【課題を解決するための手段】
【０００６】  以上の課題を解決するために、本考案のパネルは、木造建築物の構造躯体の片面か構造躯体間に取り付けられるパネルであって、構造躯体に対して傾斜させた角度に複数の板材を隙間なく並置して形成した第１のパネルと、クロスする方向に複数の板材を隙間なく並置して形成した第２のパネルが積層されて形成された板材接合体からなることを特徴とする。【０００７】  木造建築物の耐震壁強度が斜め板材を２枚合わせにクロス状に積層するパネルであるため、特許文献１、特許文献２に記載されているパネルより、耐震強度が著しく向上する、又特許文献３のように隙間を開けてないのと接着剤で接着していないため、大きな地震時には、板１枚１枚がずれながら揺れに対して対応するため本考案のパネルを使用することで、破壊しにくい木造建築物になる。【０００８】  本考案の耐震パネル以外の非耐震パネルは片面に複数の板材を補助材とした上に複数の板を構造躯体に対して斜め方向に並べ成型したパネルとする。【０００９】  特許文献１、特許文献２のパネルは斜め方向が片方向のため、耐震強度は圧縮方向に強く、引張方向に弱いパネルであった、そのため連続しない耐力壁箇所や壁量の少ない部分では１枚当たりの耐震強度が不足していた。本考案のパネルは斜め板材の傾斜角度に対して反転させた傾斜角度に並置して側面を接合させた両方向に強い耐震パネルなので、本考案のパネルを耐震壁が連続しない箇所や開口部の多い南面、東面の耐震壁の少ない部分に配置することでバランスの取れた建物にする事ができる。【００１０】  特許文献３のパネルは斜め方向に隙間を開けた板材を並べ、その上に反転させた角度でクロスにし、重ね合わサルいた部分を接着剤で接合するパネルである。本考案のパネルは構造躯体に対して傾斜させた角度に複数の板を隙間なく並置し形成した第一のパネルにクロスする方向に複数の板材を隙間なく並置した第二のパネルを合わせ、釘、ビス、ステップルで接合する。
【図面の簡単な説明】
【００１１】
【図１】  構造躯体に本考案のパネルを取り付ける全体図である。
【図２】  本考案の壁パネル１の形状を示す図である。
【図３】  本考案の壁パネル２の形状を示す図である。
【図４】  本考案の壁パネル３の形状を示す図である。
【図５】  本考案の壁パネル４の形状を示す図である。
【図６】  本考案の床・屋根パネル１の形状を示す図である。
【考案を実施するための形態】
【００１２】  以下に、本考案のパネルを、その実施形態に基づいて説明する。
図１に示す通り、構造躯体に本考案のパネルを取り付ける全体図を示す、耐震強度の違う、壁パネル１、壁パネル２、壁パネル３、壁パネル４、床・屋根パネル１を構造上必要な位置に配置し、構造躯体に取り付ける。
【００１３】  図２のパネル１は構造躯体の壁面に取り付けるパネルであって、パネルの形状は構造躯体に対して傾斜させた角度に複数の板を隙間なく並置し形成した第一のパネルにクロスする方向に複数の板材を隙間なく並置した第二のパネルを合わせ、釘、ビス、ステップルで接合するパネルである。
【００１４】  図３の壁パネル２は構造躯体の非耐力壁部分の壁面に取り付けるパネルであって、パネルの形状は図面番号（ヘ）補助材の右・左材４ａと上・下材４ｂの上に図面番号（ホ）のように傾斜させた角度に複数の板を隙間なく並置して、釘、ビス、ステップルで接合するパネルである。
【００１５】  図３の壁パネル２、図面番号（イ）（ハ）は窓回り及び開口部の取り付けを示す、（ロ）（ニ）のパネルを開口部に合わせ切断し構造躯体に取り付ける。
【００１６】  図４の壁パネル３は構造躯体間に取り付けるパネルであって、受け材４を構造躯体に取り付け、取り付けた受け材４に（ヘ）（チ）の斜め張りパネルを両面に取り付ける、パネルの斜め方向はクロスにする、そのことで構造躯体の柱・桁を表し仕上げとすることができる。
【００１７】  図４壁パネル４は構造躯体間に取り付けるパネルであって、受け材４を構造躯体に取り付け、取り付けた受け材４に壁パネル１を構造躯体間に入るようにカットして取り付ける。
【００１８】  図５床・屋根パネル１はパネル長辺方向に対し横方向板２を複数隙間なく並べたパネルに斜め板５を複数重ね２枚のパネルを釘、ビス、ステップル等で接合し、４角形上にパネル化し、構造躯体に釘、ビス等で取り付けることを特徴とするパネル。
【００１９】  床・屋根パネル１を壁材として柱間に取り付ける方法がある。柱、桁が表しになり、長辺方向に対して横張り及び斜め張りした板材２、板材５がそのまま壁仕上げ材となるため、壁仕上げをする必要が無く、工期の短縮とコストの低減を図ることができる。また、仕上げ材を張る必要が無いため、地震が発生した際に、見た目で地震による損傷の有無を確認することができる。
【００２０】  構造躯体を仕上げ材で覆わずに見せる真壁工法の場合、本考案のパネルの表面を仕上げ材として表し仕上げとすることができる。
【産業上の利用可能性】
【００２１】本考案は国産木材の間伐材や端材で、できる部材サイズの木材をパネル化するので低質材としか利用されなかった国産木材の有効活用ができる。大きな地震時では本工法により斜め張り板同士が摩擦することで揺れを制限できることと木造軸組みと一体となり揺れながら破壊を最小限にとどめることができる。木製のパネルであることから通気性がよいので建物の耐久年数も長く、化学物質を使わないので健康被害も解消される。工場製作により合理化が図れる。建物の一部の構造躯体と本パネルを表し仕上げとすることができるので施工現場での作業が減り、合理化が図れる。以上のことから利用可能性は大である。
【符号の説明】
【００２２】１  パネル
２  板材
３  板材接合体
４  補助部材
５  クロス板材
６  枠材
７  屋根パネル
８  床パネル
９  壁パネル
１０  構造躯体（母屋）
１１  構造躯体（登り梁）
１２  構造躯体（床梁）
１３  構造躯体（軒桁）
１４  構造躯体（柱）
１５  構造躯体（胴差）
１６  構造躯体（間柱）
１７  構造躯体（土台）
１８  構造躯体（大引）
【図１】
0003208273.tif 000003
【図２】
0003208273.tif 000004
【図３】
0003208273.tif 000005
【図４】
0003208273.tif 000006
【図６】
0003208273.tif 000007
【図５】
0003208273.tif 000008
【図６】
0003208273.tif 000009
【手続補正書】
【提出日】平成28年10月8日(2016.10.8)
【手続補正１】
【補正対象書類名】図面
【補正対象項目名】全図
【補正方法】変更
【補正の内容】
【図１】
0003208273.tif 000010
【図２】
0003208273.tif 000011
【図３】
0003208273.tif 000012
【図４】
0003208273.tif 000013
【図５】
0003208273.tif 000014
【図６】
0003208273.tif 000015
【手続補正２】
【補正対象書類名】明細書
【補正対象項目名】００１１
【補正方法】変更
【補正の内容】
【００１１】
【図１】構造躯体に本考案のパネルを取り付ける全体図である。
【図２】構造躯体の壁面に取り付ける大壁耐力壁パネル図と取り付け方法を示す図である。
【図３】構造躯体の壁面に取り付ける非耐力壁パネル図と取り付け方法を示す図である。
【図４】構造躯体の壁面に取り付ける真壁耐力壁パネル図と取り付け方法を示す図である。
【図５】構造躯体の壁面に取り付ける真壁クロス耐力壁パネル図と取り付け方法を示す図である。
【図６】構造躯体の床、屋根面に取り付けるパネル図である。